(57)【要約】【課題】  複数の光学素子を選択的に光路に配置する光学顕微鏡装置において、装置の複雑化及び大型化を避けつつ各種観察法に応じた複数の光学素子の配置設定を柔軟かつ容易な操作により行うことができるようにする。【解決手段】  複数の光学素子を選択的に光路に配置する電動光学顕微鏡装置であって、対物レンズ９を手動により切り換えることが可能なレボルバ１０と、レボルバ１０における対物レンズ９の配置状態を検出するホール素子５２−３と、観察法毎の複数の光学素子の配置に係る情報である割付け情報が記憶される不揮発メモリ５５−４と、ホール素子５２−３による検出結果と不揮発メモリ５５−４に記憶されている割付け情報とに基づいて、複数の光学素子を配置するよう制御するＣＰＵ５５−１等を有する。【選択図】  図１
2005084137.tif 000002
【特許請求の範囲】
【請求項１】
複数の光学素子を選択的に光路に配置する光学顕微鏡装置であって、
前記複数の光学素子の何れかを手動により切り換えることが可能な手動切換部と、
該手動切換部における光学素子の配置状態を検出する検出手段と、
観察法毎の前記複数の光学素子の配置に係る情報が記憶される記憶手段と、
前記検出手段による検出結果と前記記憶手段に記憶されている前記情報とに基+づいて前記複数の光学素子を配置する配置制御手段と、
を有することを特徴とする光学顕微鏡装置。
【請求項２】
前記手動切換部は、複数の対物レンズの中から一の対物レンズを手動により切り換えることが可能なものである、
ことを特徴とする請求項１記載の光学顕微鏡装置。
【請求項３】
前記配置制御手段は、前記検出手段による検出結果から、切り換えられた光学素子の配置状態が所定時間以上継続された場合に、前記検出結果と前記記憶手段に記憶されている前記情報とに基づいて前記複数の光学素子を配置する、
ことを特徴とする請求項１又は２記載の光学顕微鏡装置。
【請求項４】
前記所定時間は、任意に変更可能である、
ことを特徴とする請求項３記載の光学顕微鏡装置。
【請求項５】
複数の光学素子を選択的に光路に配置する光学顕微鏡装置であって、
複数の指示部と、
該複数の指示部の各々に割付けられている観察法に対応する前記複数の光学素子の配置に係る情報が記憶される記憶手段と、
操作された指示部と前記記憶手段に記憶されている前記情報とに基づいて前記複数の光学素子を配置する配置制御手段と、
を有することを特徴とする光学顕微鏡装置。
【請求項６】
複数の光学素子を選択的に光路に配置する光学顕微鏡装置の光学素子配置方法であって、
前記複数の光学素子のうち手動により切り換えられた光学素子の配置状態を検出し、
該検出の結果と予め記憶されている観察法毎の前記複数の光学素子の配置に係る情報とに基づいて前記複数の光学素子を配置する、
ことを特徴とする光学素子配置方法。
【請求項７】
複数の光学素子を選択的に光路に配置する光学顕微鏡装置のコンピュータに、
前記複数の光学素子のうち手動により切り換えられた光学素子の配置状態を検出する機能と、
前記検出の結果と予め記憶されている観察法毎の前記複数の光学素子の配置に係る情報とに基づいて前記複数の光学素子を配置する機能と、
を実現させるための光学素子配置プログラム。
【発明の詳細な説明】
【技術分野】
【０００１】
本発明は、複数の光学素子を選択的に光路に配置する光学顕微鏡装置に関する。
【背景技術】
【０００２】
顕微鏡は医学、生物学の分野、また、半導体、大容量記憶メディア製造などの工業系分野などにおいて、その用途に応じた種々複数の観察法により使用されている。
観察対象である、標本の微細化や光学特性の多様化に対応して、明視野観察、暗視野観察、微分干渉観察、位相差観察、蛍光観察はもちろんのこと、これらを組み合わせた複合観察など多岐にわたる観察法が必要となっている。
【０００３】
このため、顕微鏡では、照明光源から接眼レンズ、或いは、カメラまでの光路に対して、複数の光学素子を選択し、これらを配置、組み合わせすることで使用者の要求する観察法を実現している。
種々の観察法を実現できる顕微鏡として、複数の光学素子切換機構を有し、かつ、各観察法を実現する光学素子配置の設定機構を備えた顕微鏡が、数多く考案されてきた。これら複雑な顕微鏡の設定操作を少しでも容易なものとするために、特に、設定機構に工夫を凝らしたものが多い。
【０００４】
例えば、特許文献１には、各種光学部材を光路に対して挿脱する電動挿脱手段と、前記光学部材の光路に対する挿脱状態を検出する検出手段と、操作者から与えられる制御指示を入力する入力手段と、前記検出手段から前記光学部材の挿脱状態が入力されると共に、前記入力手段から入力された制御指示に対応して該当する光学部材を挿脱制御すべく前記電動挿脱手段に対して制御指令を出力する制御手段とを備えた顕微鏡システムにおいて、各種光学部材の諸元データを任意に設定する設定手段と、この設定手段により設定された光学部材諸元データが記憶され、電源遮断後においてもその諸元データを保持する記憶手段と、各種光学部材の諸元データの内容を表示する表示手段とを設ける顕微鏡システムが記載されている。
【０００５】
この顕微鏡システムによれば、光学部材のユニットに対して、新規諸元データを有する光学部材の追加が可能となり、追加された光学部材を用いての照明系、および、焦準系の最適制御ができるとともに、光学部材の検索を行うことにより、顕微鏡の環境構築が容易になされ、操作性の改善された顕微鏡システムが実現されている。
【０００６】
また、特許文献２には、複数の対物レンズを取付け可能でかつ相互に切り替えるためのレボルバと、前記レボルバにおける前記対物レンズの取付位置情報、及び前記レボルバに取付け可能な対物レンズのレンズ情報を、それぞれ所定の形式にてコード化したコード情報を入力する入力手段と、前記入力手段にて入力された前記コード情報を解読する解読手段と、前記解読手段にて解読された前記取付位置情報と前記レンズ情報とを相互に対応づけて記憶する記憶手段とを備えた顕微鏡が記載されている。
【０００７】
この顕微鏡によれば、自動制御タイブの電動式顕微鏡において、使用に先だつ制御に必要な情報の入力をそれぞれ所定の形式にてコード化したコード情報を入力する入力手段と、入力手段にて入力されたコード情報を解読する解読手段と、解読手段にて解読された取付位置情報とレンズ情報とを相互に対応づけて記憶する記憶手段とを備えたこと等により、コード化された情報を入力すると該情報が自動的に解読及び記憶されるので、顕微鏡に対する情報の入力が非常に容易な顕微鏡が実現されている。
【特許文献１】特開平８−１７９２１８号公報
【特許文献２】特開平１１−２３９７５号公報
【発明の開示】
【発明が解決しようとする課題】
【０００８】
しかしながら、顕微鏡への新規諸元データを有する光学部材の追加や、また、顕微鏡の自動制御に必要な情報を実使用に先立って入力するようなことは、頻繁に必要になることではない。
上述した顕微鏡システムでは、情報入力機構や表示出力機構など、顕微鏡を制御するための各種情報設定機構を顕微鏡本体に含有している。種々の観察法を実現するためとはいえ、標本を観察するという顕微鏡本来の目的に反して、顕微鏡自体が複雑化、大型化するばかりか、さらにはコストも上昇する。
【０００９】
また、昨今では、工業系分野のみならず、医学、生物学分野においても、省スペースに対する要請が高まってきており、この観点からも顕微鏡の大型化は、容易に受け入れられないものとなっている。
一方で、顕微鏡においても、いわゆるアフターパーツと呼ばれる、外部接続周辺機器などが使われている。例えば、高速シャッターや高速フィルターターレットなどであり、これら外部接続周辺機器を顕微鏡に取り付けた場合にも、柔軟で容易な操作性が電動光学顕微鏡に必要となってきている。
【００１０】
本発明は、上記実情に鑑み、複数の光学素子を選択的に光路に配置する光学顕微鏡装置において、装置の複雑化及び大型化を避けつつ各種観察法に応じた複数の光学素子の配置設定を柔軟かつ容易な操作により行うことのできる、光学顕微鏡装置、その光学素子配置方法、及びその光学素子配置プログラムを提供することを目的とする。
【課題を解決するための手段】
【００１１】
上記目的を達成するため、本発明の第１の態様に係る光学顕微鏡装置は、複数の光学素子を選択的に光路に配置する光学顕微鏡装置であって、前記複数の光学素子の何れかを手動により切り換えることが可能な手動切換部と、該手動切換部における光学素子の配置状態を検出する検出手段と、観察法毎の前記複数の光学素子の配置に係る情報が記憶される記憶手段と、前記検出手段による検出結果と前記記憶手段に記憶されている前記情報とに基づいて前記複数の光学素子を配置する配置制御手段と、を有する。
【００１２】
上記の構成によれば、複数の光学素子の何れかが手動により切り換えられると、観察法毎の複数の光学素子の配置に係る情報の中から、切り換えられた光学素子の配置状態が同一となる、所定の観察法に対応する複数の光学素子の配置に係る情報を取得することができ、その取得した情報に基づき、複数の光学素子のうち、切り換えられた光学素子を除く光学素子を、その所定の観察法に対応する位置へ配置することが可能になる。すなわち、使用者が一の光学素子を切り換えることによって、他の光学素子を自動的に、切り換えられた光学素子の配置状態に応じた観察法に対応する所定の位置へ切り換えることが可能になる。
【００１３】
また、本発明の第２の態様に係る光学顕微鏡装置は、前記第１の態様において、前記手動切換部は、複数の対物レンズの中から一の対物レンズを手動により切り換えることが可能なものである。
この構成によれば、使用者が手動により対物レンズを切り換えることによって、他の光学素子を自動的に、切り換えられた対物レンズの配置位置に応じた観察法に対応する所定の位置へ切り換えることが可能になる。
【００１４】
また、本発明の第３の態様に係る光学顕微鏡装置は、前記第１又は第２の態様において、前記配置制御手段は、前記検出手段による検出結果から、切り換えられた光学素子の配置状態が所定時間以上継続された場合に、前記検出結果と前記記憶手段に記憶されている前記情報とに基づいて前記複数の光学素子を配置する。
【００１５】
この構成によれば、手動により光学素子が切り換えられる際に、まだ光学素子の切換中であるにもかかわらず配置制御手段による配置制御が行われてしまうのを防止することができる。
また、本発明の第４の態様に係る光学顕微鏡装置は、前記第３の態様において、前記所定時間は、任意に変更可能である。
【００１６】
この構成によれば、前述の所定時間を任意に変更することが可能になる。
また、本発明の第５の態様に係る光学顕微鏡装置は、複数の光学素子を選択的に光路に配置する光学顕微鏡装置であって、複数の指示部と、該複数の指示部の各々に割付けられている観察法に対応する前記複数の光学素子の配置に係る情報が記憶される記憶手段と、操作された指示部と前記記憶手段に記憶されている前記情報とに基づいて前記複数の光学素子を配置する配置制御手段と、を有する。
【００１７】
上記の構成によれば、複数の指示部のうちの一の指示部が操作されると、その指示部に割付けられている観察法に対応する複数の光学素子の配置に係る情報を取得することが可能になり、その取得した情報に基づき、複数の光学素子を、その観察法に対応する位置へ配置することが可能になる。
【００１８】
また、本発明は、これらの光学顕微鏡装置に限らず、その光学素子配置方法、及びその光学素子配置プログラムとして構成することも可能である。
【発明の効果】
【００１９】
本発明によれば、複数の光学素子を選択的に光路に配置する光学顕微鏡装置において、装置の複雑化及び大型化を避けつつ各種観察法に応じた複数の光学素子の配置設定を柔軟かつ容易な操作により行うことが可能になる。
【発明を実施するための最良の形態】
【００２０】
以下、本発明の実施例を図面を参照しながら説明する。
【実施例１】
【００２１】
図１は、本発明の実施例１に係る電動光学顕微鏡装置の全体構成を示した図である。
同図に示したように、本装置の光学系は、例えばハロゲンランプからなる透過照明用光源１からの光をコレクタレンズ２で集光して透過視野絞り３を経て、顕微鏡本体に対し換装可能な透過フィルターターレット４へ入射する。
【００２２】
透過フィルターターレット４には、例えば、透過照明用光源１の色温度を変えずに明るさの調光を行う複数枚のＮＤフィルター、或いは、色補正を行うための複数枚の補正フィルター等を装着してあり、任意のフィルターを照明光学系の光路中に選択的に挿脱可能になっていて、ここでは、フィルター４ａ乃至４ｆ（４ａ、４ｂ、４ｃ、４ｄ、４ｅ、及び４ｆ）の６種のフィルターが装着された６段切換のものである。
【００２３】
この透過フィルターターレット４を透過した照明光を、透過開口絞り５、コンデンサ光学素子ユニット６、コンデンサトップレンズユニット７を介して試料ステージ８の下方からステージ上の観察試料Ｓを照明する。
尚、コンデンサ光学素子ユニット６は、光路中に選択的に挿入される複数のユニット６ａ乃至６ｆ（６ａ、６ｂ、６ｃ、６ｄ、６ｅ、及び６ｆ）からなり、コンデンサトップレンズユニット７は、光路中に選択的に挿入される複数のユニット７ａ、７ｂからなる。また、試料ステージ８は、観察試料Ｓを光軸と直交する平面内で２次元移動できると共にピント合わせのため光軸方向へ移動可能になっている。
【００２４】
試料ステージ８の上方には複数の対物レンズ９ａ乃至９ｆ（９ａ、９ｂ、９ｃ、９ｄ、９ｅ、及び９ｆ）がレボルバ１０に保持されている。レボルバ１０は対物レンズ９ａ乃至９ｆを保持可能な６段切換のレボルバであり、その回転により観察光路内の光軸ＯＰ（光軸となる、点Ｐと点Ｏを通る直線）中に挿入すべき対物レンズを交換可能に構成されている。レボルバ１０は、例えば本装置のアーム先端部に回転自在に取り付けられており、顕微鏡本体に対し換装可能となっている。
【００２５】
本装置のアーム先端部の観察光路上に、顕微鏡本体に対し換装可能なキューブカセット１１が配設されている。キューブカセット１１は、各種観察法により選択的に挿入される６種のフィルターキューブ１１ａ乃至１１ｆ（１１ａ、１１ｂ、１１ｃ、１１ｄ、１１ｅ、及び１１ｆ）を装着した６段切換のキューブカセットである。キューブカセット１１を透過した光をビームスプリッター１２で２方向に分岐し、一方の光を接眼レンズ１３へ導き、他方の光を撮影用光路へ導いている。
【００２６】
また、例えば水銀ランプ等からなる落射照明用光源１４からの光をコレクタレンズ１５で集光して、顕微鏡本体に対し換装可能な落射フィルターターレット１６へ入射する。
落射フィルターターレット１６には、例えば、落射照明用光源１４の色温度を変えずに明るさの調光を行う複数枚のＮＤフィルター、或いは、色補正を行うための複数枚の補正フィルター等を装着してあり、任意のフィルターを照明光学系の光路中に選択的に挿脱可能になっていて、ここでは、フィルター１６ａ乃至１６ｆ（１６ａ、１６ｂ、１６ｃ、１６ｄ、１６ｅ、及び１６ｆ）の６種のフィルターが装着された６段切換のものである。
【００２７】
この落射フィルターターターレット１６を経て、落射開口絞り１７、落射視野絞り１８、キューブカセット１１の光路中に挿入されているフィルターキューブ１１ａに入射し、対物レンズ９を介して観察試料Ｓへ落射照明する。
観察試料Ｓからの蛍光、或いは、反射光である観察光は、対物レンズ９、キューブカセット１１を経てビームスプリッター１２で２方向に分岐し、観察光の一方は、接眼レンズ１３へ導かれ、他方は撮影用光路へ導かれる。
【００２８】
また、本装置は、更に、制御部５５、操作部５６、透過フィルターターレット駆動部５０、コンデンサユニット駆動部５１、レボルバ駆動部５２、キューブカセット駆動部５３、落射フィルターターレット駆動部５４、透過照明調光部５７、及び落射照明調光部５８等を備えている。
【００２９】
図２は、制御部５５と操作部５６の構成を示した図である。
同図に示したように、制御部５５は、ＣＰＵ５５−１、ＲＯＭ５５−２、ＲＡＭ５５−３、及び不揮発メモリ５５−４からなり、各々ＣＰＵバスを介して接続されている。ＣＰＵ５５−１は、ＲＯＭ５５−２に記憶されている制御内容を記述したプログラム（光学素子配置プログラムを含む）を読み出し実行することにより、本装置全体の動作を制御する。ＲＡＭ５５−３には、制御演算用のデータが格納される。不揮発メモリ５５−４は、ＥＥＰＲＯＭ、ＮＶＲＡＭ、或いは、フラッシュメモリ等であり、後述の操作入力割付け情報（以下単に「割付け情報」という）等が格納され、プログラムの実行により、必要な情報の記憶、読み出しが行われる。
【００３０】
図３は、不揮発メモリ５５−４に格納されている割付け情報のデータ構造を示した図である。
同図に示したように、不揮発メモリ５５−４には、割付け情報として、割付け情報１乃至１６が格納されており、割付け情報１乃至１６の各々は、後述の操作部５６の操作ボタンＢ１乃至Ｂ１６（複数の指示部の一例）の各々に割り付けられた観察法に対応する、選択的に配置可能な光学素子（駆動部位、或いは単に部位ともいう）とその配置状態（配置位置、或いは単に位置ともいう）とが設定された割付けデータを含んで構成されている。
【００３１】
ＣＰＵ５５−１は、操作部５６からの操作入力を受けると、対応する割付け情報の割付けデータに従い各駆動部の制御等を行うものである。
操作部５６は、表示部５６−１と操作入力部５６−２を含み、各々ＣＰＵ５５−１と接続され、表示部５６−１はＣＰＵ５５−１からの指示に従い各駆動部の動作状況や位置情報等を表示し、また、操作入力部５６−２は当該操作入力部からの操作信号をＣＰＵ５５−１へ出力するものである。
【００３２】
図４は、操作部５６に設けられている操作ボタンＢ１乃至Ｂ１６の配置図である。
操作部５６には、同図に示した配置で操作ボタンＢ１乃至Ｂ１６（単にボタン１乃至１６とも言う）が設けられており、これら操作ボタンＢ１乃至Ｂ１６は、例えば、ＬＥＤなどの発光素子を内部に組み込んだ、いわゆる照光式ボタンスイッチであり、ＣＰＵ５５−１からの信号により、消灯、点灯、点滅などを行える。
【００３３】
また、制御部５５には、外部通信手段として、ＲＳ−２３２ＣやＵＳＢ、或いは、ＩＥＥＥ１３９４やイーサネット（登録商標）等の外部Ｉ／Ｆが設けられており、この外部Ｉ／Ｆを介して、ＣＰＵ５５−１が、ＰＣ等の外部ホスト機器からコマンドを送受することにより、操作部５６からの操作と同等の駆動部制御を行うと共に外部との情報交換を行う。
【００３４】
透過フィルターターレット駆動部５０は、制御部５５からの駆動信号により、透過フィルターターレット４を回転駆動し、４ａ乃至４ｆのフィルターを光路中に挿脱する。さらに制御部５５は、透過フィルターターレット駆動部５０介して、透過フィルターターレット４が動作中か否か、また、フィルター４ａ乃至４ｆの内、いずれが光路中にあるか等の状態を知ることができる。
【００３５】
コンデンサユニット駆動部５１は、制御部５５からの駆動信号により、透過開口絞り５を調整駆動し、また、コンデンサ光学素子ユニット６、コンデンサトップレンズユニット７を回転駆動し光路中に挿脱する。さらに制御部５５は、コンデンサユニット駆動部５１を介して、透過開口絞り５、コンデンサ光学素子ユニット６、及びコンデンサトップレンズユニット７が動作中か否か、また、透過開口絞り５、コンデンサ光学素子ユニット６、及びコンデンサトップレンズユニット７の光路に対する配置等の状態を知ることができる。
【００３６】
レボルバ駆動部５２は、制御部５５からの駆動信号により、レボルバ１０を回転駆動し、対物レンズ９ａ乃至９ｆを光路中に挿脱する。さらに制御部５５は、レボルバ駆動部５２を介して、レボルバ１０が動作中か否か、また、対物レンズ９ａ乃至９ｆの内、いずれが光路中にあるか等の状態を知ることができる。
【００３７】
キューブカセット駆動部５３は、制御部５５からの駆動信号により、キューブカセット１１を回転駆動し、フィルターキューブ１１ａ乃至１１ｆを光路中に挿脱する。さらに制御部５５は、キューブカセット駆動部５３を介して、キューブカセット１１が動作中か否か、また、フィルターキューブ１１ａ乃至１１ｆの内、いずれが光路中にあるか等の状態を知ることができる。
【００３８】
落射フィルターターレット駆動部５４は、制御部５５からの駆動信号により、落射フィルターターレット１６を回転駆動し、１６ａ乃至１６ｆのフィルターを光路中に挿脱する。さらに制御部５５は、落射フィルターターレット駆動部５４を介して、落射フィルターターレット１６が動作中か否か、また、フィルター１６ａ乃至１６ｆの内、いずれが光路中にあるか等の状態を知ることができる。
【００３９】
透過照明調光部５７は、制御部５５からの調光信号により、透過照明用光源１を調光する。
落射照明調光部５８は、制御部５５からの調光信号により、落射照明用光源１４を調光する。
【００４０】
図５は、レボルバ１０及びレボルバ駆動部５２の構造及び動作を説明するためのものであり、レボルバ１０をキューブカセット１１側から見たときの各センサの構成図である。
レボルバ１０は、レボルバ駆動部５２の不図示のパルスモータ５２−１によって中心軸Ｊの周りに回転可能となっている。パルスモータ５２−１によりレボルバ１０を適宜回転させることによって、レボルバ１０に着脱可能に保持された対物レンズ９ａ乃至９ｆのいずれか一つを光路中に配置することができる。
【００４１】
レボルバ１０の縁部には、対物レンズ９ａ乃至９ｆに応じて、開口１０−１ａ乃至１０−１ｆが開けられている。この開口１０−１ａ乃至１０−１ｆは、対物レンズ９ａ乃至９ｆの何れかを光路中に正しく位置決め配置するためのものである。例えば、対物レンズ９ａが光路中に配置されている場合、レボルバ１０の回転しない不図示の固定部に固定されたレボルバ制御部５２のフォトインタラプタ５２−２によって開口１０−１ａの存在を検出できるので、対物レンズ９ａを光路中に正しく位置決め配置することが可能である。
【００４２】
また、レボルバ１０の縁部には、磁石セット１０−２ａ乃至１０−２ｆが取り付けられている。この磁石セット１０−２ａ乃至１０−２ｆは、レボルバ１０に取り付けられた対物レンズ９ａ乃至９ｆの内、どの対物レンズが光路中に配置しているのかを検出するためのものである。例えば、レボルバ１０に取り付けられた対物レンズ９ａが光路中にあるとき、それを、レボルバ１０の回転しない不図示の固定部であり、かつ、磁石セット１０−２ａと対向する位置に取り付けられているレボルバ駆動部５２のホール素子５２−３により検出することができる。一つの磁石セット１０−２には、三ヶ所の磁石取付け部があり、この三ヶ所の磁石取付け部への磁石取付け有無の組み合わせにより、光路中にある対物レンズ９ａ乃至９ｆを識別、検出することが可能である。
【００４３】
図６は、磁石セット１０−２とホール素子５２−３の検出との組み合わせを表した表を示した図である。
同図に示したように、例えば、ホール素子５２−３の検出結果が”００１”であったときには、光路中に配置されているものが対物レンズ９ａであることを、識別、検出することができる。
【００４４】
図７(a),(b) は、キューブカセット１１及びキューブカセット駆動部５３の構造及び動作を説明するためのものであり、同図(a) は上面部分図であり、同図(b) は側方部分図である。
同図(a),(b) において、キューブカセット１１の円板１１−１は、キューブカセット駆動部５３のパルスモータ５３−１によって中心軸Ｋの周りに回転可能となっている。パルスモータ５３−１により円板１１−１を適宜回転させることによって、円板１１−１に着脱可能に保持されたフィルターキューブ１１ａ乃至１１ｆのいずれか一つを光路中に配置することができる。
【００４５】
円板１１−１の外周部の一ヶ所には、磁石１１−８が取り付けられている。この磁石１１−８は、円板１１−１の原点位置を検出するためのものである。円板１１−１が原点位置にあるとき、それを、磁石１１−８と対向する位置に取り付けられているキューブカセット駆動部５３のホール素子５３−３により検出することができる。一方、円板１１−１の縁部には、フィルターキューブ１１ａ乃至１１ｆに応じて、開口１１−２乃至１１−７が開けられている。この開口１１−２乃至１１−７は、フィルターキューブ１１ａ乃至１１ｆの何れかを光路中に正しく位置決め配置するためのものである。例えば、フィルターキューブ１１ａが光路中に配置されている場合、キューブカセット駆動部５３のフォトインタラプタ５３−２によって開口１１−５の存在を検出できるので、フィルターキューブ１１ａを光路中に正しく位置決め配置することが可能である。
【００４６】
尚、透過フィルターターレット４と落射フィルターターレット１６も、図示を省略するが、原点位置検出用の磁石とホール素子、及び位置決め配置用の開口とフォトインタラプタ等が設けられており、原点検出及び所望の位置への位置決め制御が可能となっている。
次に、上述した電動光学顕微鏡装置の動作について説明する。
【００４７】
尚、本動作において、本装置には、各駆動部が駆動する駆動部位として、図８及び図９に示したような光学素子が装着されているものとする。また、予め、制御部５５に設けられた不図示のＤＩＰ−ＳＷ（スイッチ）により、不揮発メモリ５５−４に記憶されている割付け情報１乃至１６の中の割付け情報１が、使用する割付け情報として選択されているものとする。また、割付け情報１の操作ボタンＢ１乃至Ｂ３の各々には、図１０乃至図１２の各々に示したような、所定の観察法に対応する、駆動部位とその配置位置とが設定された割付けデータが、割付けられているものとする。
【００４８】
図１３乃至図２０は、上述した電動光学顕微鏡装置の動作に係るフローチャートを示した図であり、ＣＰＵ５５−１がＲＯＭ５５−２に記憶されている制御内容を記述したプログラムを読み出し実行することによって行われる動作を示している。
本動作では、図１３に示したように、まず、操作部５６の操作ボタンの何れかが押されたか否かを判定し（ステップ（以下単に「Ｓ」という）１）、その判定結果がＹｅｓの場合には、続いて、押されたボタンが、操作ボタンＢ１であるか（Ｓ２）、操作ボタンＢ２であるか（Ｓ３）、操作ボタンＢ３であるか（Ｓ４）、操作ボタンＢ４であるか（Ｓ５）、・・・、操作ボタンＢ１６であるか（Ｓ１７）といったように、押されたボタンが操作ボタンＢ１乃至Ｂ１６の何れかであったか否かを各々判定し、何れかの判定結果がＹｅｓの場合には、それに対応する動作へ移行し、何れの判定結果もＮｏの場合には、Ｓ１８へ進む。
【００４９】
一方、Ｓ１の判定結果がＮｏの場合、或いはＳ１７の判定結果がＮｏの場合には、続いて、手動操作によりレボルバ１０の配置位置が変化したか否かを判定し（Ｓ１８）、その判定結果がＹｅｓの場合にはレボルバ手回し処理へ移行し、Ｎｏの場合には、Ｓ１へ戻る。
【００５０】
このようにして行われる動作において、例えば、操作部５６の操作ボタンＢ１が押されると、ＣＰＵ５５−１は操作ボタンＢ１の操作入力を検出し（Ｓ１がＹｅｓ、Ｓ２がＹｅｓ）、図１４に示す操作ボタンＢ１処理に従った各電動機構の駆動を開始する。
この操作ボタンＢ１処理では、図１４に示したように、まず、制御部５５に設けられた不図示のＤＩＰ−ＳＷにより選択されている割付け情報１の操作ボタンＢ１に割付けられている観察法に対応する操作ボタンＢ１割付けデータを、不揮発メモリ５５−４から読み出す（Ｓ１９）。
【００５１】
続いて、読み出した操作ボタンＢ１割付けデータを参照し、駆動部位の配置位置について何も設定されていないか否かを判定し（Ｓ２０）、その判定結果がＹｅｓの場合には何も処理をしないでＳ１へ戻り（（Ｅ）へ進み）、次なる操作ボタンＢ１乃至Ｂ１６の操作入力を待つことになるが、その判定結果がＮｏの場合には、操作ボタンＢ１割付けデータに従って各駆動部位を駆動する。
【００５２】
ここで、前述の図１０に示したように、割付け情報１の操作ボタンＢ１に割付けられている、操作ボタンＢ１割付けデータには、１０×対物レンズでの透過明視野観察として、番号１乃至８の切換動作が設定されている。すなわち、透過フィルターターレット４を位置：３（４ｃ）に切り換え、透過開口絞り５を位置：１００に切り換え、コンデンサ光学素子ユニット６を位置：１（６ａ）に切り換え、コンデンサトップレンズ７を位置：ＩＮ（７ａ）に切り換え、レボルバ１０／対物レンズ９を位置：１（９ａ）に切り換え、キューブカセット１１を位置：１（１１ａ）に切り換え、透過照明用光源１を位置：９０（９Ｖ）に調光し、落射フィルターターレット１６を位置：６（１６ｆ）に切り換える設定がなされている。
【００５３】
尚、落射フィルターターレット１６を位置：６（１６ｆ）に切り換えるのは、装着された遮光板により、落射照明用光源１４を遮光し透過明視野観察への迷光などによる悪影響を除去するためである。
ＣＰＵ５５−１は、不揮発メモリ５５−４から読み出した割付け情報１の操作ボタンＢ１割付けデータに従い、透過フィルターターレット駆動部５０を介して透過フィルターターレット４を位置：３（４ｃ）に駆動開始し（Ｓ２１）、コンデンサユニット駆動部５１を介して、透過開口絞り５を位置：１００、コンデンサ光学素子ユニット６を位置：１（６ａ）、コンデンサトップレンズ７を位置：ＩＮ（７ａ）に駆動開始し（Ｓ２２乃至Ｓ２４）、レボルバ駆動部５２を介してレボルバ１０／対物レンズ９を位置：１（９ａ）に駆動開始し（Ｓ２５）、キューブカセット駆動部５３を介してキューブカセット１１を位置：１（１１ａ）に駆動開始し（Ｓ２６）、透過照明調光部５７を介して透過照明用光源１を位置：９０（９Ｖ）に調光し（Ｓ２７）、落射フィルターターレット駆動部５４を介して落射フィルターターレット１６を位置：６（１６ｆ）に駆動開始する。
【００５４】
続いて、ＣＰＵ５５−１は、全ての駆動部の駆動が終了したか否かを判定し（Ｓ２９）、その判定結果がＮｏの場合には本判定処理を繰り返すが、それがＹｅｓの場合には、操作ボタンＢ１の割付けに対応した切換制御である操作ボタンＢ１処理を終了し、Ｓ１へ戻り（（Ｅ）へ進み）、次なる操作ボタンＢ１乃至Ｂ１６の操作入力を待つ。
【００５５】
このようにして、操作ボタンＢ１の操作入力により、透過フィルターターレット４ではＮＤ２５が光路に配置され、透過開口絞り５は開口径：１００に切り換わり、コンデンサ光学素子ユニット６では明視野観察用として空穴となり、コンデンサトップレンズ７は光路に配置され、対物レンズ９は１０×に切り換わり、キューブカセット１１では明視野用ミラーユニットが光路に配置され、透過照明用光源１は９Ｖに調光され、落射フィルターターレット１６では遮光板が落射照明光路に配置されて落射照明が遮光され、結果、１０×対物レンズでの透過明視野観察が実現される。
【００５６】
また、本動作において、操作部５６の操作ボタンＢ２が押されると、ＣＰＵ５５−１が操作ボタンＢ２の操作入力を検出し（Ｓ１がＹｅｓ、Ｓ３がＹｅｓ）、図１５に示す操作ボタンＢ２処理に従った各電動機構の駆動を開始する。
この操作ボタンＢ２処理では、図１５に示したように、まず、制御部５５に設けられた不図示のＤＩＰ−ＳＷにより選択されている割付け情報１の操作ボタンＢ２に割り付けられている観察法に対応する操作ボタンＢ２割付けデータを、不揮発メモリ５５−４から読み出す（Ｓ３０）。
【００５７】
続いて、読み出した操作ボタンＢ２割付けデータを参照し、駆動部位の配置位置について何も設定されていないか否かを判定し（Ｓ３１）、その判定結果がＹｅｓの場合には何も処理をしないでＳ１へ戻り（（Ｅ）へ進み）、次なる操作ボタンＢ１乃至Ｂ１６の操作入力を待つことになるが、その判定結果がＮｏの場合には、操作ボタンＢ２割付けデータに従って各駆動部位を駆動する。
【００５８】
ここで、前述の図１１に示したように、割付け情報１の操作ボタンＢ２に割付けられている、操作ボタンＢ２割付けデータには、２０×対物レンズでの落射蛍光観察として番号１乃至６の切換動作が設定されている。すなわち、コンデンサ光学素子ユニット６を位置：６（６ｆ）に切り換え、コンデンサトップレンズ７を位置：ＯＵＴ（７ｂ）に切り換え、レボルバ１０／対物レンズ９を位置：２（９ｂ）に切り換え、キューブカセット１１を位置：３（１１ｃ）に切り換え、落射照明用光源１４を位置：ＯＮ（点灯）に調光し、落射フィルターターレット１６を位置：５（１６ｅ）に切り換える設定がなされている。
【００５９】
尚、コンデンサ光学素子ユニット６を位置：６（６ｆ）に切り換えるのは、装着された遮光板により、透過照明用光源１を遮光し落射蛍光観察への迷光などによる悪影響を除去するためであり、また、コンデンサトップレンズ７を位置：ＯＵＴ（７ｂ）に切り換えるのは、トップレンズによる自化蛍光などによる、落射蛍光観察への悪影響を除去するためである。
【００６０】
ＣＰＵ５５−１は、不揮発メモリ５５−４から読み出した割付け情報１の操作ボタンＢ２割付けデータに従い、コンデンサユニット駆動部５１を介して、コンデンサ光学素子ユニット６を位置：６（６ｆ）、コンデンサトップレンズ７を位置：ＯＵＴ（７ｂ）に駆動開始し（Ｓ３２、Ｓ３３）、レボルバ駆動部５２を介してレボルバ１０／対物レンズ９を位置：２（９ｂ）に駆動開始し（Ｓ３４）、キューブカセット駆動部５３を介してキューブカセット１１を位置：３（１１ｃ）に駆動開始し（Ｓ３５）、落射照明調光部５８を介して落射照明用光源１４を位置：ＯＮ（点灯）に調光し（Ｓ３６）、落射フィルターターレット駆動部５４を介して落射フィルターターレット１６を位置：５（１６ｅ）に駆動開始する（Ｓ３７）。
【００６１】
続いて、ＣＰＵ５５−１は、全ての駆動部の駆動が終了したか否かを判定し（Ｓ３７）、その判定結果がＮｏの場合には本判定処理を繰り返すが、それがＹｅｓの場合には、操作ボタンＢ２の割付けに対応した切換制御である操作ボタンＢ２処理を終了し、Ｓ１へ戻り（（Ｅ）へ進み）、次なる操作ボタンＢ１乃至Ｂ１６の操作入力を待つ。
【００６２】
このようにして、操作ボタンＢ２の操作入力により、コンデンサ光学素子ユニット６では遮光板が光路に配置され、コンデンサトップレンズ７は光路から外され、対物レンズ９は２０×に切り換わり、キューブカセット１１では蛍光Ｂ励起用ミラーユニットが光路に配置され、落射照明用光源１４は点灯され、落射フィルターターレット１６では空穴が光路に配置されて落射照明が１００％透過され、結果、２０×対物レンズでの落射蛍光観察が実現される。
【００６３】
また、本動作において、操作部５６の操作ボタンＢ３が押されると、ＣＰＵ５５−１は操作ボタンＢ３の操作入力を検出し（Ｓ１がＹｅｓ、Ｓ４がＹｅｓ）、図１６に示す操作ボタンＢ３処理に従った各電動機構の駆動を開始する。
この操作ボタンＢ３処理では、図１６に示したように、まず、制御部５５に設けられた不図示のＤＩＰ−ＳＷにより選択されている割付け情報１の操作ボタンＢ３に割付けられている観察法に対応する操作ボタンＢ３割付けデータを、不揮発メモリ５５−４から読み出す（Ｓ３９）。
【００６４】
続いて、読み出した操作ボタンＢ３割付けデータを参照し、駆動部位の配置位置について何も設定されていないか否かを判定し（Ｓ４０）、その判定結果がＹｅｓの場合には何も処理をしないでＳ１へ戻り（（Ｅ）へ進み）、次なる操作ボタンＢ１乃至Ｂ１６の操作入力を待つことになるが、その判定結果がＮｏの場合には、操作ボタンＢ３割付けデータに従って各駆動部位を駆動する。
【００６５】
ここで、前述の図１２に示したように、割付け情報１の操作ボタンＢ３に割付けらている、操作ボタンＢ３割付けデータには、１０×対物レンズでの位相差観察として番号１乃至８の切り換え動作が設定されている。すなわち、透過照明用光源１を位置：１００（１０Ｖ）に調光し、透過フィルターターレット４を位置：４（４ｄ）に切り換え、透過開口絞り５を位置：４８２（最大径）に切り換え、コンデンサ光学素子ユニット６を位置：２（６ａ）に切り換え、コンデンサトップレンズ７を位置：ＩＮ（７ａ）に切り換え、レボルバ１０／対物レンズ９を位置：５（９ｅ）に切り換え、キューブカセット１１を位置：１（１１ａ）に切り換え、落射フィルターターレット１６を位置：６（１６ｆ）に切り換える設定がなされている。
【００６６】
ＣＰＵ５５−１は、不揮発メモリ５５−４から読み出した割付け情報１の操作ボタンＢ３割付けデータに従い、透過照明調光部５７を介して透過照明用光源１を位置：１００（１０Ｖ）に調光し（Ｓ４１）、透過フィルターターレット駆動部５０を介して透過フィルターターレット４を位置：４（４ｄ）に駆動開始し（Ｓ４２）、コンデンサユニット駆動部５１を介して、透過開口絞り５を位置：４８２（最大径）、コンデンサ光学素子ユニット６を位置：２（６ｂ）、コンデンサトップレンズ７を位置：ＯＵＴ（７ｂ）に駆動開始し（Ｓ４３乃至Ｓ４５）、レボルバ駆動部５２を介してレボルバ１０／対物レンズ９を位置：５（９ｅ）に駆動開始し（Ｓ４６）、キューブカセット駆動部５３を介してキューブカセット１１を位置：１（１１ａ）に駆動開始し（Ｓ４７）、落射フィルターターレット駆動部５４を介して落射フィルターターレット１６を位置：６（１６ｆ）に駆動開始する（Ｓ４８）。
【００６７】
続いて、ＣＰＵ５５−１は、全ての駆動部の駆動が終了したか否かを判定し（Ｓ４９）、その判定結果がＮｏの場合には本判定処理を繰り返すが、それがＹｅｓの場合には、操作ボタンＢ３の割付けに対応した切換制御である操作ボタンＢ３処理を終了し、Ｓ１へ戻り（（Ｅ）へ進み）、次なる操作ボタンＢ１乃至Ｂ１６の操作入力を待つ。
【００６８】
このようにして、操作ボタンＢ３の操作入力により、透過照明用光源は１０Ｖに調光され、透過フィルターターレット４ではＮＤ５０が光路に配置され、透過開口絞り５は開口径：最大径に切り換わり、コンデンサ光学素子ユニット６では１０×位相差観察用リングスリットが光路に配置され、コンデンサトップレンズ７は光路に配置され、対物レンズ９は１０×位相差観察用に切り換わり、キューブカセット１１では明視野用ミラーユニットが光路に配置され、落射フィルターターレット１６では遮光板が落射照明光路に配置されて落射照明が遮光され、結果、１０×対物レンズでの位相差観察が実現される。
【００６９】
また、本動作において、操作部５６の操作ボタンＢ４乃至Ｂ１６の何れかが押されたときにも、前述の動作と同様にして、対応する操作ボタン処理（操作ボタンＢ４処理乃至操作ボタンＢ１６処理の何れか）が行われ、所定の観察法が実現される。
また、本動作において、レボルバ１０が手動により回動操作されると、ＣＰＵ５５−１がレボルバ１０の回動を検出し（Ｓ１８がＹｅｓ）、図１７に示すレボルバ手回し処理を開始する。
【００７０】
このレボルバ手回し処理では、図１７に示したように、回動された後のレボルバ１０の位置が、位置：１であるか（Ｓ５０）、位置：２であるか（Ｓ５１）、位置：３であるか（Ｓ５２）、位置：４であるか（Ｓ５３）、位置：５であるか（Ｓ５４）、位置：６であるか（Ｓ５５）を各々判定し、何れかの判定結果がＹｅｓの場合には、それに対応するレボルバ位置処理を行い、何れの判定結果もＮｏの場合には、Ｓ１へ戻る（（Ｅ）へ進む）。
【００７１】
このようにして行われる動作において、例えば、対物レンズ９ｅ（レボルバ位置：２）が光路中に挿入されているときに、レボルバ１０が手動により回動操作され、代わりに対物レンズ９ａ（レボルバ位置：１）が光路中に挿入されると、ＣＰＵ５５−１は、前回制御時の対物レンズ９ｅ（レボルバ位置：２）と異なる状態を検出する。すなわち、レボルバ１０が手動により回動操作され、対物レンズ９ｅ（レボルバ位置：２）から対物レンズ９ａ（レボルバ位置：１）へと切り換えられたことをレボルバ制御部５２を介して検出し（Ｓ５０がＹｅｓ）、図１８に示すレボルバ位置１処理を開始する。
【００７２】
このレボルバ位置１処理では、図１８に示したように、まず、制御部５５に設けられた不図示のＤＩＰ−ＳＷにより選択されている割付け情報１の操作ボタンＢ１乃至Ｂ１６に割付けられている各種観察法に対応する操作ボタンＢ１割付けデータ乃至操作ボタンＢ１６割付けデータを読み出し、部位：レボルバ、位置：１と設定されている割付けデータを検索し（Ｓ５６）、その割付けデータがあるか否かを判定する（Ｓ５７）。このＳ５７の判定において、判定結果がＮｏの場合には何も処理を行わずにＳ１へ戻り（（Ｅ）へ進み）、次なる操作ボタンＢ１乃至Ｂ１６の操作入力を待つことになるが、それがＹｅｓの場合には、その割付けデータに従って各駆動部位を駆動する。
【００７３】
本例では、図１０に示したように、割付け情報１の操作ボタンＢ１割付けデータには、部位：レボルバ、位置：１が設定されている。従って、Ｓ５７の判定結果がＹｅｓとなり、ＣＰＵ５５−１は、検索により操作ボタンＢ１割付けデータを取得し、レボルバ１０を除いた各駆動部位の駆動を開始する（Ｓ５８乃至Ｓ６４）。すなわち、前述の図１０に示した、番号５を除いた、番号１乃至４及び番号６乃至８に設定されている切換動作を開始する。
【００７４】
尚、このＳ５８乃至Ｓ６４の処理は、図１４に示したＳ２１乃至Ｓ２４及びＳ２６乃至Ｓ２８の処理と同じであるので、ここでは説明を省略する。
Ｓ６４の処理が終了すると、続いて、ＣＰＵ５５−１は、全ての駆動部の駆動が終了したか否かを判定し（Ｓ６５）、その判定結果がＮｏの場合には本判定処理を繰り返すが、それがＹｅｓの場合には、対物レンズ９ａ（レボルバ位置：１）が光路中に挿入された操作に対応した切換制御であるレボルバ位置１処理を終了し、Ｓ１へ戻り（（Ｅ）へ進み）、次なる操作ボタンＢ１乃至Ｂ１６の操作入力を待つ。
【００７５】
このようにして、レボルバ１０が手動により回動操作され、対物レンズ９ａ（レボルバ位置：１）が光路中に挿入されると、透過フィルターターレット４ではＮＤ２５が光路に配置され、透過開口絞り５は開口径：１００に切り換わり、コンデンサ光学素子ユニット６では明視野観察用として空穴となり、コンデンサトップレンズ７は光路に配置され、対物レンズは１０×に切り換わり、キューブカセット１１では明視野用ミラーユニットが光路に配置され、透過照明用光源１は９Ｖに調光され、落射フィルターターレット１６では遮光板が落射照明光路に配置されて落射照明が遮光され、結果、１０×対物レンズでの透過明視野観察が実現される。
【００７６】
以下、同様の動作になるので詳細説明は省略するが、レボルバ１０が手動により回動操作され、対物レンズ９ｂ（レボルバ位置：２）が光路中に挿入された場合には、Ｓ５１がＹｅｓとなり、図１９に示すレボルバ位置２処理を開始する。
このレボルバ位置２処理では、不揮発メモリ５５−４から、割付け情報１の操作ボタンＢ１割付けデータ乃至操作ボタンＢ１６割付けデータを読み出し、部位：レボルバ、位置：２と設定されている割付けデータを検索し（Ｓ６６）、その割付けデータがあるか否かを判定する（Ｓ６７）。
【００７７】
本例では、図１１に示したように、割付け情報１の操作ボタンＢ２割付けデータには、部位：レボルバ、位置：２が設定されている。従って、Ｓ６７の判定結果がＹｅｓとなり、ＣＰＵ５５−１は、検索により操作ボタンＢ２割付けデータを取得し、レボルバ１０を除いた各駆動部位の駆動を開始する（Ｓ６８乃至Ｓ７２）。すなわち、前述の図１１に示した、番号３を除いた、番号１乃至２及び番号４乃至６に設定されている切換動作を開始する。尚、このＳ６８乃至Ｓ７２の処理は、図１５に示したＳ３２乃至Ｓ３３及びＳ３５乃至Ｓ３７の処理と同じであり、また、続くＳ７３の処理は、前述のＳ６５の処理と同じであるので、ここでは説明を省略する。
【００７８】
このようにして、レボルバ１０が手動により回動操作され、対物レンズ９ｂ（レボルバ位置：２）が光路中に挿入されると、上述のように各駆動部位が所定位置へ配置等され、２０×対物レンズでの落射蛍光観察が実現される。
また、レボルバ１０が手動により回動操作され、対物レンズ９ｅ（レボルバ位置：５）が光路中に挿入された場合には、Ｓ５４がＹｅｓとなり、図２０に示すレボルバ位置５処理を開始する。
【００７９】
このレボルバ位置５処理では、不揮発メモリ５５−４から、割付け情報１の操作ボタンＢ１割付けデータ乃至操作ボタンＢ１６割付けデータを読み出し、部位：レボルバ、位置：５と設定されている割付けデータを検索し（Ｓ７４）、その割付けデータがあるか否かを判定する（Ｓ７５）。
【００８０】
本例では、図１２に示したように、割付け情報１の操作ボタンＢ３割付けデータには、部位：レボルバ、位置：５が設定されている。従って、Ｓ７５の判定結果がＹｅｓとなり、ＣＰＵ５５−１は、検索により操作ボタンＢ３割付けデータを取得し、レボルバ１０を除いた各駆動部位の駆動を開始する（Ｓ７６乃至Ｓ８２）。すなわち、前述の図１２に示した、番号６を除いた、番号１乃至５及び番号７乃至８に設定されている切換動作を開始する。尚、このＳ７６乃至Ｓ８２の処理は、図１６に示したＳ４１乃至Ｓ４５及びＳ４７乃至Ｓ４８の処理と同じであり、また、続くＳ８３の処理は、前述のＳ６５の処理と同じであるので、ここでは説明を省略する。
【００８１】
このようにして、レボルバ１０が手動により回動操作され、対物レンズ９ｅ（レボルバ位置：５）が光路中に挿入されると、上述のように各駆動部位が配置等され、１０×対物レンズでの位相差観察が実現される。
また、レボルバ１０が手動により回動操作され、対物レンズ９ｃ（レボルバ位置：３）、９ｄ（レボルバ位置：４）、又は９ｆ（レボルバ位置：６）の何れかが光路中に挿入されたときにも、前述の動作と同様にして、対応するレボルバ位置処理（レボルバ位置３処理、レボルバ位置４処理、又はレボルバ位置６処理）が行われ、所定の観察法が実現される。
【００８２】
以上、実施例１によれば、操作ボタンＢ１乃至Ｂ１６の各々に割り付けられた各種観察法に対応する光学素子及びその配置状態が設定された割付けデータからなる割付け情報を予め不揮発メモリ５５−４に格納しておき、そこで、操作ボタンＢ１乃至Ｂ１６の何れかが操作されると、ＣＰＵ５５−１によって、その操作ボタンに割付けられた観察法に対応する光学素子及びその配置状態が設定された割付けデータが不揮発メモリ５５−４から読み出され、その割り付けデータに従って各光学素子が観察光学系及び照明光学系の各光路に配置されるようになるので、例えば明視野観察法、暗視野観察法、微分干渉観察法、位相差観察法、蛍光観察法、これら観察法を組み合わせた複合観察法などの多岐に亘る各種観察法に応じて複数の光学素子、例えば観察光学系を構成する透過フィルターターレット４、コンデンサ光学素子ユニット６、コンデンサトップレンズユニット７、対物レンズ９ａ乃至９ｆ及びキューブターレット１１などや、照明光学系を構成する透過照明用光源１、落射照明用光源１４などを選択的に光路に配置して、各種観察法を実現することができる。
【００８３】
さらに、レボルバが手動により回動操作された場合にも、ＣＰＵ５５−１によって、操作ボタンＢ１乃至Ｂ１６の各々に割り付けられた各種観察法に対応する光学素子及びその配置状態が設定された割り付けデータからなる割付け情報が不揮発メモリ５５−４から読み出され、その割付け情報から、切り換えられた後のレボルバ位置が含まれる割付けデータが検索され、その検索された割り付けデータに従ってレボルバ以外の光学素子が観察光学系及び照明光学系の各光路に配置されることで各種観察法を実現することができるので、レボルバ位置が各種観察法における割り付け情報と異なる位置に配置されることはなくなり、適切な条件下で観察を行うことが可能になる。
【００８４】
よって、装置の複雑化及び大型化を避けつつ各種観察法に応じた複数の光学素子の配置設定を柔軟かつ容易な操作により行うことが可能になる。
【実施例２】
【００８５】
次に、本発明の実施例２について説明する。
本実施例の特徴は、上記実施例１におけるレボルバ１０が手動により回動操作された際に、ＣＰＵ５５−１が前回制御時の対物レンズ９と異なる状態を検出しても、すぐにはその後に続く各種光学素子の所定の切換動作を実行せずに待機し、一定時間その状態が保持されたときに初めて前記各種光学素子の切換動作を実行するところにある。
【００８６】
本実施例に係る電動光学顕微鏡装置の構成は上記実施例１と同様であるが、動作が異なる。そこで、ここでは、実施例１と異なる動作となる、レボルバ１０が手動により回動操作された場合の動作について、図２１に示すフローチャートに従い説明する。尚、同図では、図１３に示した処理と同一の処理については、同一のステップ番号を付している。
【００８７】
図２１において、レボルバ１０が手動により回動操作され、光路中に挿入されている対物レンズ９が切り換えられると、ＣＰＵ５５−１は、この切り換え前の制御時の対物レンズ９と異なる状態を検出する。すなわち、対物レンズ９が切り換えられたことをレボルバ制御部５２を介して検出する（Ｓ１８がＹｅｓ）。
【００８８】
続いて、ＣＰＵ５５−１は、所定時間の間カウントするタイマをスタートさせ（Ｓ８４）、続いて、レボルバ制御部５２を介して対物レンズ９の切り換えを監視し、Ｓ１８で切り換えられた対物レンズ９が再び切り換えられたか否か、すなわち、切り換えられた対物レンズ９が光路から外れたか否かを判定する（Ｓ８５）。
【００８９】
このＳ８５の判定において、その判定結果がＹｅｓの場合には、タイマがクリア（リセット）されて（Ｓ８６）、Ｓ１８へ戻るが、それがＮｏの場合には、続いてタイマのカウント値が所定時間（予め定められている規定時間）を経過しているか否かを判定する（Ｓ８７）。
【００９０】
このＳ８７の判定において、その判定結果がＮｏの場合には、Ｓ８５へ処理が戻るが、それがＹｅｓの場合には、タイマが終了となり（Ｓ８８）、既に述べた図１７のレボルバ手回し処理へ移行する。
このような処理により、対物レンズ９が切り換えられ、タイマのカウントがスタートしてから所定時間経過するまで間に、切り換えられた対物レンズ９が光路中から外れなければ、対物レンズ９の切り換えが終了したと判断し、対応するレボルバ手回し処理へ移行するようになる。
【００９１】
ここで、前述の所定時間は、予め設定してある固定値でも良いが、外部ＰＣから外部Ｉ
／Ｆを介しての通信、またはＤＩＰ−ＳＷなどで変更可能であっても良い。
以上、実施例２によれば、例えばレボルバ位置１からレボルバ位置３というようにレボルバ１０を２段階に切り換える場合に、まずレボルバ位置１からレボルバ位置２に切り換え、さらに所定の時間内にレボルバ位置３へ切り換えることで、レボルバ位置２においての前記レボルバ手回し処理を回避し、レボルバ位置３に対応するレボルバ手回し処理を実行することが可能となり、時間効率良く各種観察を行うことができる。
【００９２】
尚、上述した実施例１及び実施例２において、ＬＥＤなどの発光素子やブザーなどの発音体もしくは外部Ｉ／Ｆを介して通信することにより、レボルバ１０が手動により回動操
作中であることを使用者に通知可能に構成しても良い。
【００９３】
また、上述した実施例１及び実施例２において、レボルバ１０が手動により回動操作された際に、他の光学素子を光路に対し挿脱する前記レボルバ手回し処理の実行の可否を選択可能に構成しても良い。
また、上述した実施例１及び実施例２において、対物レンズ９以外の光学素子を手動により切り換えた場合に、その手動により切り換えられた光学素子以外の対物レンズ９を含む光学素子が切り換わるように構成しても良い。例えば、キューブカセット１１を手動により切り換えた場合に、そのような動作を行うように構成することも可能である。但し、この場合には、切り換えられたキューブカセット１１の位置を検出するため、図７(a) に示したキューブカセット１１の構成を、図２２に示すキューブカセット１１のように構成することも可能である。
【００９４】
図２２に示したキューブカセット１１の構成では、図７(a) に示したキューブカセット１１の構成に加えて、更に、円板１１−１の縁部に、磁石セット１１−９乃至１１−１４が取り付けられる。この磁石セット１１−９乃至１１−１４は、円板１１−１に保持されているフィルターキューブ１１ａ乃至１１ｆの内、どのフィルターキューブが光路中に配置しているのかを検出するためのものである。例えば、円板１１−１に保持されているフィルターキューブ１１ａが光路中にあるとき、それを、円板１１−１の回転しない不図示の固定部であり、かつ、磁石セット１１−９と対向する位置に取り付けられているキューブカセット駆動部５３のホール素子５３−４により検出することができる。一つの磁石セットには、三ヶ所の磁石取付け部があり、この三ヶ所の磁石取付け部への磁石取付け有無の組み合わせにより、光路中にあるフィルターキューブ１１ａ乃至１１ｆを識別、検出することが可能である。また、この場合の、磁石セットとホール素子５３−４の検出との組み合わせを表した表を、図２３に示しておく。
【００９５】
また、上述した実施例１及び実施例２において、レボルバ１０は電動及び手動により駆動可能としたが、レボルバ位置判別用のセンサが配置されているのみの完全手動操作用レボルバであっても良い。
また、上述した実施例１及び実施例２において、操作ボタンＢ１乃至Ｂ１６の代わりに、表示部５６−１の画面上に、対応するボタン等を表示させ、いわゆるタッチパネルのように使用者が表示画面にタッチする、或いはマウス等の指示手段を用いて選択する等により、操作ボタンＢ１乃至Ｂ１６の何れかが押されたときと同様の動作を開始させるようにしても良い。
【００９６】
以上、本発明の光学顕微鏡装置、光学素子配置方法、及び光学素子配置プログラムについて詳細に説明したが、本発明は上記実施形態に限定されず、本発明の要旨を逸脱しない範囲において、各種の改良及び変更を行っても良いのはもちろんである。
【図面の簡単な説明】
【００９７】
【図１】実施例１に係る、電動光学顕微鏡装置の全体構成を示した図である。
【図２】実施例１に係る、制御部と操作部の構成を示した図である。
【図３】実施例１に係る、不揮発メモリに格納されている割付け情報のデータ構造を示した図である。
【図４】実施例１に係る、操作部に設けられている操作ボタンＢ１乃至Ｂ１６の配置図である。
【図５】実施例１に係る、レボルバをキューブカセット側から見た各センサの構成を示した図である。
【図６】実施例１に係る、磁石セットとホール素子の検出との組み合わせを表した表を示した図である。
【図７】実施例１に係り、(a) はキューブカセットの上面部分図、(b) はキューブカセットの側方部分図である。
【図８】実施例１に係る、電動光学顕微鏡装置に装着されている光学素子を示した図である。
【図９】実施例１に係る、電動光学顕微鏡装置に装着されている光学素子を示した図である。
【図１０】実施例１に係る、割付け情報１の操作ボタンＢ１に割付けられている観察法に対応する操作ボタンＢ１割付けデータを示した図である。
【図１１】実施例１に係る、割付け情報１の操作ボタンＢ２に割付けられている観察法に対応する操作ボタンＢ２割付けデータを示した図である。
【図１２】実施例１に係る、割付け情報１の操作ボタンＢ３に割付けられている観察法に対応する操作ボタンＢ３割付けデータを示した図である。
【図１３】実施例１に係る、電動光学顕微鏡装置の動作に係るフローチャートを示した図である。
【図１４】実施例１に係る、操作ボタンＢ１処理に係るフローチャートを示した図である。
【図１５】実施例１に係る、操作ボタンＢ２処理に係るフローチャートを示した図である。
【図１６】実施例１に係る、操作ボタンＢ３処理に係るフローチャートを示した図である。
【図１７】実施例１に係る、レボルバ手回し処理に係るフローチャートを示した図である。
【図１８】実施例１に係る、レボルバ位置１処理に係るフローチャートを示した図である。
【図１９】実施例１に係る、レボルバ位置２処理に係るフローチャートを示した図である。
【図２０】実施例１に係る、レボルバ位置５処理に係るフローチャートを示した図である。
【図２１】実施例２に係る、レボルバ手回し処理に係るフローチャートを示した図である。
【図２２】変形例に係る、キューブカセットの上面部分図である。
【図２３】変形例に係る、磁石セットとホール素子の検出との組み合わせを表した表を示した図である。
【符号の説明】
【００９８】
１      透過照明用光源
２      コレクタレンズ
３      透過視野絞り
４      フィルターターレット
５      透過開口絞り
６      コンデンサ光学素子ユニット
７      コンデンサトップレンズユニット
８      試料ステージ
９      対物レンズ
１０    レボルバ
１１    キューブカセット
１２    ビームスプリッター
１３    接眼レンズ
１４    落射照明用光源
１５    コレクタレンズ
１６    落射フィルターターレット
１７    落射開口絞り
１８    落射視野絞り
５０    透過フィルターターレット駆動部
５１    コンデンサユニット駆動部
５２    レポルバ駆動部
５３    キューブカセット駆動部
５４    落射フィルターターレット駆動部
５５    制御部
５６    操作部
５７    透過照明調光部
５８    落射照明調光部
【図１】
2005084137.tif 000003
【図２】
2005084137.tif 000004
【図３】
2005084137.tif 000005
【図４】
2005084137.tif 000006
【図５】
2005084137.tif 000007
【図６】
2005084137.tif 000008
【図７】
2005084137.tif 000009
【図８】
2005084137.tif 000010
【図９】
2005084137.tif 000011
【図１０】
2005084137.tif 000012
【図１１】
2005084137.tif 000013
【図１２】
2005084137.tif 000014
【図１３】
2005084137.tif 000015
【図１４】
2005084137.tif 000016
【図１５】
2005084137.tif 000017
【図１６】
2005084137.tif 000018
【図１７】
2005084137.tif 000019
【図１８】
2005084137.tif 000020
【図１９】
2005084137.tif 000021
【図２０】
2005084137.tif 000022
【図２１】
2005084137.tif 000023
【図２２】
2005084137.tif 000024
【図２３】
2005084137.tif 000025